【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者が前記可変表示部の変動表示を開始させるために操作する開始操作手段と、
表示結果が導出される前に、入賞について発生を許容するか否かを決定する事前決定手段と、
前記事前決定手段が前記入賞の発生を許容するか否かを決定したときに、性能試験を行う際に接続される試験装置に対して該事前決定手段の決定結果を特定可能な事前決定信号を出力するための出力制御を行う事前決定信号出力制御手段と、
１ゲームに要する最短時間が所定の規制時間以上となるようにゲームの進行を規制する進行規制手段と、
特別表示結果が導出されたときに、遊技者にとって有利な特別遊技状態に制御する特別遊技状態制御手段と、
特別遊技状態とは異なる遊技者にとって有利な有利状態に制御する有利状態制御手段と、
有利状態において制御された特別遊技状態において前記事前決定手段の決定結果に基づき有利状態の期間を延長する旨を決定するための延長決定制御を行う延長決定制御手段と、
を備え、
前記事前決定手段は、前回のゲームにおいて前記事前決定信号の出力制御を開始してからの経過時間に関わらず、今回のゲームにおける前記開始操作手段が操作されたときに、入賞の発生を許容するか否かを決定し、
前記事前決定信号出力制御手段は、
前回のゲームにおいて前記事前決定信号の出力制御を開始してから前記所定の規制時間が経過する前に今回のゲームにおける前記事前決定信号の出力制御が開始可能となった場合、該所定の規制時間が経過したときに前記事前決定信号の出力制御を開始し、
前回のゲームにおいて前記事前決定信号の出力制御を開始してから前記所定の規制時間が経過した後に今回のゲームにおける前記事前決定信号の出力制御が開始可能となった場合、該事前決定信号の出力制御が開始可能となったときに前記事前決定信号の出力制御を開始し、
前記延長決定制御手段は、第１種類の延長決定制御と、有利状態の期間を延長する旨が決定される割合が前記第１種類の延長決定制御とは異なる第２種類の延長決定制御と、を行うことが可能である、スロットマシン。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
【特許文献１】特開２００５−１７６９４２号公報
【手続補正４】
【補正対象書類名】明細書
【補正対象項目名】０００６
【補正方法】変更
【補正の内容】
【０００６】
内部抽選の抽選結果を特定可能な内部当選信号を利用して、内部当選信号の出力開始から次ゲームの内部当選信号の出力開始までの時間を計測し、その時間が所定の規制時間以上か否かを判定することにより、１ゲームの最短時間が所定の規制時間以上確保されているか否かを確認することが考えられるが、従来の構成において内部当選信号は、ゲームの開始に伴う内部抽選に続いて出力されるものであり、リールの回転開始を待たずに出力されるものであることから、試験装置にて自動的に試験を行う場合に、前のゲームの回転開始から所定の規制時間が経過しておらず、常にリール回転開始前にゲームの進行が規制され、かつメダルの払出等を伴わなければ、内部当選信号の出力開始から次回内部当選信号の出力開始までの時間がほぼ所定の規制時間となるが、前のゲームの回転開始から所定の規制時間が経過している場合には、内部当選信号の出力開始後、ゲームの進行が規制されることがなく、また、前のゲームにおいてメダルの払出等が行われた場合には、内部当選信号の出力開始後、ゲームの進行が規制される時間がその分短くなることから、当該ゲームの内部当選信号の出力開始後、所定の規制時間が経過する前に次のゲームの内部当選信号の出力が開始されることとなるため、上記のように内部当選信号をそのまま利用して１ゲームの最短時間が所定の規制時間以上確保されているか否かを確認した場合には、１ゲームの最短時間を正確に計測できなくなってしまうこととなる。
【手続補正５】
【補正対象書類名】明細書
【補正対象項目名】０００７
【補正方法】変更
【補正の内容】
【０００７】
本発明は、このような問題点に着目してなされたものであり、内部抽選の抽選結果を特定可能な信号を利用して１ゲームの最短時間を正確に計測することができるスロットマシンを提供することを目的とする。
【手続補正６】
【補正対象書類名】明細書
【補正対象項目名】０００８
【補正方法】変更
【補正の内容】
【０００８】
上記課題を解決するために、
本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者が前記可変表示部の変動表示を開始させるために操作する開始操作手段と、
表示結果が導出される前に、入賞について発生を許容するか否かを決定する事前決定手段と、
前記事前決定手段が前記入賞の発生を許容するか否かを決定したときに、性能試験を行う際に接続される試験装置に対して該事前決定手段の決定結果を特定可能な事前決定信号を出力するための出力制御を行う事前決定信号出力制御手段と、
１ゲームに要する最短時間が所定の規制時間以上となるようにゲームの進行を規制する進行規制手段と、
特別表示結果が導出されたときに、遊技者にとって有利な特別遊技状態に制御する特別遊技状態制御手段と、
特別遊技状態とは異なる遊技者にとって有利な有利状態に制御する有利状態制御手段と、
有利状態において制御された特別遊技状態において前記事前決定手段の決定結果に基づき有利状態の期間を延長する旨を決定するための延長決定制御を行う延長決定制御手段と、
を備え、
前記事前決定手段は、前回のゲームにおいて前記事前決定信号の出力制御を開始してからの経過時間に関わらず、今回のゲームにおける前記開始操作手段が操作されたときに、入賞の発生を許容するか否かを決定し、
前記事前決定信号出力制御手段は、
前回のゲームにおいて前記事前決定信号の出力制御を開始してから前記所定の規制時間が経過する前に今回のゲームにおける前記事前決定信号の出力制御が開始可能となった場合、該所定の規制時間が経過したときに前記事前決定信号の出力制御を開始し、
前回のゲームにおいて前記事前決定信号の出力制御を開始してから前記所定の規制時間が経過した後に今回のゲームにおける前記事前決定信号の出力制御が開始可能となった場合、該事前決定信号の出力制御が開始可能となったときに前記事前決定信号の出力制御を開始し、
前記延長決定制御手段は、第１種類の延長決定制御と、有利状態の期間を延長する旨が決定される割合が前記第１種類の延長決定制御とは異なる第２種類の延長決定制御と、を行うことが可能である
ことを特徴としている。
本発明の手段１のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
遊技の試験を行う際に接続される試験装置（試験装置１３００）からの試験用信号（試験用信号）の入力に基づき自動的に遊技を行うことが可能であり、
遊技者が表示結果を導出させるために操作する導出操作手段（ストップスイッチ８Ｌ、８Ｃ、８Ｒ）を含む操作手段と、
前記操作手段による操作に基づき遊技を進行させる遊技進行制御手段（メイン制御部４１）と、
前記導出操作手段（ストップスイッチ８Ｌ、８Ｃ、８Ｒ）が遊技の進行に関与する進行関与状態（遊技を進行させるための停止操作が有効な状態）において、前記試験用信号として前記導出操作手段（ストップスイッチ８Ｌ、８Ｃ、８Ｒ）の操作を示す特定信号（第１〜３リールストップスイッチ信号）が試験装置（試験装置１３００）から入力されたことに基づいて表示結果を導出する制御を行う導出制御手段（メイン制御部４１）と、
前記導出操作手段（ストップスイッチ８Ｌ、８Ｃ、８Ｒ）が遊技の進行に関与しない進行非関与状態（フリーズ状態）において、前記可変表示部（リール２Ｌ、２Ｃ、２Ｒ）を用いた特定演出（擬似遊技演出）を実行する特定演出実行手段（メイン制御部４１）と、
前記特定演出（擬似遊技演出）の実行中に前記導出操作手段（ストップスイッチ８Ｌ、８Ｃ、８Ｒ）が操作されたときに前記可変表示部（リール２Ｌ、２Ｃ、２Ｒ）の変動態様を変化させる変動態様変更手段（メイン制御部４１）と、
前記特定演出が実行される進行非関与状態（フリーズ状態）において、前記導出操作手段（ストップスイッチ８Ｌ、８Ｃ、８Ｒ）が操作されて前記可変表示部（リール２Ｌ、２Ｃ、２Ｒ）の変動態様を変化させることで前記特定演出（擬似遊技演出）を終了させ、当該進行非関与状態（フリーズ状態）を終了させることが可能な進行非関与状態終了手段（メイン制御部４１）と、
を備え、
前記進行非関与状態終了手段（メイン制御部４１）は、前記特定演出（擬似遊技演出）が実行される進行非関与状態（フリーズ状態）において、前記試験用信号（第１〜３リールストップスイッチ信号）の入力によっても前記可変表示部（リール２Ｌ、２Ｃ、２Ｒ）の変動態様を変化させることで前記特定演出（擬似遊技演出）が終了し、前記進行非関与状態（フリーズ状態）を終了させることが可能である
ことを特徴としている。
この特徴によれば、導出操作手段が遊技の進行に関与しない進行非関与状態において可変表示部を用いた特定演出が実行され、特定演出の実行中には、導出操作手段が操作されたときに可変表示部の変動態様を変化させるとともに、これに伴い特定演出を終了させて進行非関与状態を終了させることが可能となっている。このような構成において、特定演出の実行中に試験用信号の入力によっても可変表示部の変動態様を変化させるとともに、これに伴い特定演出を終了させて進行非関与状態を終了させることが可能となるため、試験中に特定演出が実行されても試験信号の入力により自動的に進行非関与状態を終了させて速やかに試験を続行することが可能となり、効率的に試験を行うことができる。